(57)【要約】      （修正有）【課題】従来の作業用ヘルメットを始め、ニット製、布帛製または合成繊維製等の帽子にそのまま使用することができ、抗菌性を有し、かつ、消臭効果を有する帽子用インナーキャップを提供する。【解決手段】帽子の下に被るインナーキャップ１であって、該インナーキャップは竹を原料とした竹繊維の糸で編み込まれた無縫製のニットで椀状に一体成型され、椀状の前記インナーキャップ本体１１の椀の縁に相当する下端縁は竹繊維の糸に加えてポリウレタン繊維の糸が編み込まれた頭部を巻回する帯状の巻回帯１３が形成されている、構成とした。【選択図】図１
0003234172.tif 000002
【実用新案登録請求の範囲】
【請求項１】
帽子の下に被るインナーキャップであって、該インナーキャップは竹を原料とした竹繊維の糸が編み込まれた無縫製のニットで椀状に一体成型されている、ことを特徴とする帽子用インナーキャップ。
【請求項２】
椀状の前記インナーキャップの椀の縁に相当する下端縁には前記竹繊維の糸に加えてポリウレタン繊維の糸が編み込まれた頭部を巻回する帯状の巻回帯が形成されている、ことを特徴とする請求項１に記載の帽子用インナーキャップ。
【請求項３】
前記竹繊維の糸は略４０番手の双糸である、ことを特徴とする請求項１または請求項２に記載の帽子用インナーキャップ。
【考案の詳細な説明】
【技術分野】
【０００１】
本考案は、帽子の下に着用されるニット製のインナーキャップに関する。
【背景技術】
【０００２】
インナーキャップは、帽子の下に被る薄手の帽子であり、工事現場等で着用されるヘルメットの下に被る使い捨てで紙製のインナーキャップがよく知られている。このインナーキャップに関する考案や発明が特許文献１や特許文献２に開示されている。
【０００３】
特許文献１に開示の考案は、考案の名称「医療用インナーキャップ」に係り、「使用者にとってかぶりやすく、適度の断熱効果を有し、頭皮を冷却する頭皮冷却装置のヘルメットのインナーキャップとして使用できる医療用帽子を提供する。」ことを課題とし、その解決手段を「医療用帽子は、人の頭部を覆うように形成された布帛体からなり、額を含む前頭部を覆う前頭部領域と、後頭部を覆う後頭部領域と、項を覆う項領域を備える本体と、それに接続される左側頭部材と右側頭部材とから構成され、本体に接続された左側頭部材、右側頭部材のそれぞれの部材は、後端にひれ状突出部を形成し、このひれ状突出部と項領域との間に切込みが形成されている。」としている。
【０００４】
また、特許文献２に開示の発明は、発明の名称「帽子用インナーウエア」に係り、「汗の吸収効果や水分による冷却効果を発揮することを可能にし、しかも必要に応じて洗濯することができる帽子用インナーウエアを提供する。」ことを課題とし、その解決手段を「人の頭部を覆うように縫製された帽子用インナーウエアにおいて、頭部に接触するように配置された親水布と、該親水布の外側に配置された防水布と、これら親水布と防水布との間に挿入された保水層との積層構造を有する被覆片を少なくとも一部に設ける。」こととしている。
【０００５】
一方で、出願人は竹繊維が有する抗菌性に着目して、鋭意、開発を進めてきた。その成果は、竹繊維ガーゼの製造方法として特許文献３に開示されていて、竹繊維ガーゼが抗菌性の効果を有することが示されている。
【先行技術文献】
【特許文献】
【０００６】
【特許文献１】実用新案登録第３２０８７５３号公報
【特許文献２】特開２０１２−１４０７４０号公報
【特許文献３】特開２００６−０４３３７０号公報
【考案の開示】
【考案が解決しようとする課題】
【０００７】
ところで、特許文献１や特許文献２に開示のインナーキャップあるいは帽子用インナーウエアは、頭部からの発汗による悪臭を防いだり、消したりすることはできそうもなく、かつ、当該インナー部材は従来型のものよりもコスト高となる。
【０００８】
そこで、本考案は、従来の作業用ヘルメットを始め、ニット製、布帛製または合成繊維製等の帽子にそのまま使用することができ、抗菌性を有し、かつ、消臭効果を有する帽子用インナーキャップを提供することを目的とする。
【課題を解決するための手段】
【０００９】
上記課題を解決するために、本願請求項１に係る帽子用インナーキャップは、帽子の下に被るインナーキャップであって、該インナーキャップは竹を原料とした竹繊維の糸で編み込まれた無縫製のニットで椀状に一体成型されている、ことを特徴としている。
また、本願請求項２に係る帽子用インナーキャップは、請求項１に記載の帽子用インナーキャップであって、椀状の前記インナーキャップの椀の縁に相当する下端縁には前記竹繊維の糸に加えてポリウレタン繊維の糸が編み込まれた頭部を巻回する帯状の巻回帯が形成されている、ことを特徴としている。
そして、本願請求項３に係る帽子用インナーキャップは、請求項１または請求項２に記載の帽子用インナーキャップであって、前記竹繊維の糸は略４０番手の双糸である、ことを特徴としている。
【考案の効果】
【００１０】
本考案は、上記構成により以下の効果を奏する。
（１）本考案に係るインナーキャップは竹を原料とした竹繊維の糸で編み込まれた無縫製のニットで椀状に一体成型されているため、竹繊維の本来の効果である「抗菌性」の効果を奏するほかに、その後に出願人が知見した竹繊維の効果である「吸湿性」および「防臭性」が発揮されて、使用者の頭部の汗を吸収するとともに、頭部の臭いも消すことができる消臭効果を奏するばかりでなく、長時間被り続けても、皮膚のはれ、かぶれ、かゆみ等の皮膚異常が生じない。
また、「無縫製」のため、頭部を均等な圧力で覆い、特にアレルギー体質や敏感肌の使用者であっても痒みが抑えられて快適に使用することができる。
（２）椀状のインナーキャップ（以下、「インナーキャップ本体）という。）の下端縁には竹繊維の糸に加えて弾力性のあるポリウレタン繊維の糸が編み込まれた巻回帯が形成されていて、頭部にしっかりと密着するため、ずれることなく上記（１）に示した効果を確実なものにする。
（３）竹繊維の糸に細径の略４０番手の双糸を使用することで、ガーゼのような編み目の粗さがあるので、汗などで濡れても乾きやすいという特徴があり、上記（１）に示した効果がより大きくなる。さらに、細径の糸で編み込むため、コンパクトに折り畳んで手のひらサイズにすることができ、携帯に便利である。
（４）上述した効果により、本考案の帽子用インナーキャップは、自衛隊員・警察官あるいは消防士等の制服の着用が義務付けられている人々、スキー・登山・ジョギング等のスポーツやオートバイ・自転車の愛好家、さらには、食品・薬品・化粧品を扱う人々や医療従事者、そして化学治療により脱毛したガン患者にも最適なものとなる。
【考案を実施するための最良の形態】
【００１１】
本考案を実施するための最良の形態に係る実施例について、図１に基づいて説明する。ここで、図１は、実施例に係る帽子用インナーキャップの正面図である。また、図１において、符号１は実施例に係る帽子用インナーキャップ、符号１１はインナーキャップ本体、符号１３は巻回帯、である。
【００１２】
帽子用インナーキャップ１は竹繊維の糸で編み込まれたニットで椀を伏せたように一体成型されているインナーキャップ本体１１と、インナーキャップ本体１１の下端部に連なる帯状の巻回帯１３とから形成されている。
【００１３】
インナーキャップ本体１１は４０番手の双糸で竹繊維の糸で編み込まれていて、無縫製のニットで椀状に一体成型されている。また、巻回帯１３は竹繊維の糸に加えてポリウレタン繊維の糸が編み込まれていて、幅が１０ｍｍ程度であり、伸縮性に富んでいて、使用時には頭部をしっかりと掴持するようになっている。
【図面の簡単な説明】
【００１４】
【図１】図１は、実施例に係る帽子用インナーキャップの正面図である。
【符号の説明】
【００１５】
１  帽子用インナーキャップ
１１  インナーキャップ本体
１３  巻回帯
【図１】
0003234172.tif 000003
【手続補正書】
【提出日】令和3年7月14日(2021.7.14)
【手続補正１】
【補正対象書類名】図面
【補正対象項目名】図１
【補正方法】変更
【補正の内容】
【図１】
0003234172.tif 000004
【手続補正書】
【提出日】令和3年7月16日(2021.7.16)
【手続補正１】
【補正対象書類名】図面
【補正対象項目名】図１
【補正方法】変更
【補正の内容】
【図１】
0003234172.tif 000005